(57)【特許請求の範囲】
【請求項１】
球面の一部を構成する内面を投影面として使用される透過型の球状スクリーンと、
画像データを投影光に変換する光変調素子と、
前記光変調素子に平行光を入射させる光源部と、
前記光変調素子により変換された前記投影光からなる画像を前記球状スクリーンの前記内面に投影するとともに、前記内面での当該画像の歪みを光学的に補償する歪み補正機能を有する投影光学系と、
を備え、
前記投影光学系は、前記光変調素子の前記光源部側に対して反対側に配置された第１のレンズと、当該第１のレンズの前記光変調素子側に対して反対側に配置された第２のレンズと、当該第２のレンズの当該第１のレンズ側に対して反対側に配置された第３のレンズと、によって構成されており、当該第１のレンズは非対称両凸レンズ、当該第２のレンズは対称両凸レンズ、当該第３のレンズは当該第２のレンズに接する凸面を有するメニスカスレンズである、
ことを特徴とする球面投影表示装置。
【請求項２】
前記投影光学系は、前記球状スクリーンの前記内面における、前記内面を含む球面を前記投影光学系の光軸に垂直な面で分割したときの一方側の半球領域を超える領域に前記画像を投影することを特徴とする請求項１に記載の球面投影表示装置。
【請求項３】
前記球状スクリーンの前記内面及び外面の少なくとも一方の表面には、光を拡散させるための光拡散材料が塗布されている、又は、光を拡散させるための処理が施されていることを特徴とする請求項１又は２に記載の球面投影表示装置。
【請求項４】
前記球状スクリーンは、中空球体の一部に開口部が設けられた形状を有していることを特徴とする請求項１乃至３のいずれかに記載の球面投影表示装置。
【請求項５】
前記球状スクリーンは、前記中空球体を構成する一組の半球状の部材を有し、前記一組の半球状の部材の一方には、前記開口部が設けられ、前記一組の半球状の部材の前記一方と他方とは、透明な接着剤を用いて接合されていることを特徴とする請求項４に記載の球面投影表示装置。
【請求項６】
前記光源部は、点光源と、当該点光源を前記平行光にする光源光学系と、を有することを特徴とする請求項１乃至５のいずれかに記載の球面投影表示装置。
【請求項７】
前記点光源は、白色ＬＥＤ又はＲＧＢ−ＬＥＤであることを特徴とする請求項６に記載の球面投影表示装置。
【請求項８】
前記光変調素子は、透過型の液晶表示素子であることを特徴とする請求項１乃至７のいずれかに記載の球面投影表示装置。
【請求項９】
前記球状スクリーンの前記内面に前記投影光からなる前記画像が投影されていない非表示期間に、前記球状スクリーンの前記内面を照明する照明手段を備えたことを特徴とする請求項１乃至８のいずれかに記載の球面投影表示装置。
【請求項１０】
前記照明手段は、前記球状スクリーンの前記内面に前記投影光からなる前記画像が投影されている表示期間に消灯することを特徴とする請求項９に記載の球面投影表示装置。
【請求項１１】
前記照明手段は、少なくとも１つの補助光源を有し、
前記補助光源は、白色ＬＥＤ又はＲＧＢ−ＬＥＤであることを特徴とする請求項１０に記載の球面投影表示装置。
【請求項１２】
前記光変調素子は、光源からの光が透過する透過型であり、
前記投影光からなる前記画像の前記球状スクリーンの前記内面への投影が不要な非表示期間に、前記光源からの光の光路にある変換位置から、前記光源からの光の光路に対して垂直な方向に外れた非変換位置まで、前記光変調素子を移動させる移動機構を備えたことを特徴とする請求項１乃至８のいずれかに記載の球面投影表示装置。
【請求項１３】
前記移動機構は、前記投影光からなる前記画像の前記球状スクリーンの前記内面への投影が必要な表示期間に、前記非変換位置から前記変換位置まで、前記光変調素子を移動させることを特徴とする請求項１２に記載の球面投影表示装置。
【請求項１４】
前記移動機構は、前記光変調素子が固定されるスライダと、ラック及びピニオンを介して当該スライダをスライドさせる駆動モータと、を含み、
前記光変調素子は、前記駆動モータの正転により前記変換位置から前記非変換位置まで移動され、前記駆動モータの逆転により前記非変換位置から前記変換位置まで移動されることを特徴とする請求項１２又は１３に記載の球面投影表示装置。
【発明の詳細な説明】
【技術分野】
【０００１】
本発明は、透過型の球状スクリーンに画像を投影して表示する球面投影表示装置に関するものである。
【背景技術】
【０００２】
従来、例えば下記特許文献１には、透過型の球状スクリーンを構成する半透明のボール体の内周面に、投影装置を用いて画像データに基づく画像を投影するとともに、投影した画像をボール体の外側から観察させる球面投影表示装置が記載されている。係る球面投影表示装置によれば２次元の画像を立体的に表示することができる。
【先行技術文献】
【特許文献】
【０００３】
【特許文献１】特開２０００−２０７０９３号公報
【発明の概要】
【発明が解決しようとする課題】
【０００４】
しかしながら、上記の球面投影表示装置のように球状スクリーンに画像を投影する場合には、球状スクリーンの投影面が球面であるため、任意の画像をそのまま投影すると画像に歪みが生じてしまう。係ることから、上記の技術を実施する際には、投影する画像に対して、投影時に生じる歪みを打ち消すための補正処理を画像データの段階で行うことが不可欠となる。
【０００５】
そのため、例えば球状スクリーンを直径１０ｃｍ程度の小型のものとして、球面投影表示装置を画像データを出力する機能を有した任意の機器に単なる表示デバイスとして組み込むような場合には、画像データの補正を任意の機器側で行う必要がある。したがって、球面投影表示装置を他の装置に組み込む場合を考えると汎用性に欠けるという問題があった。
【０００６】
本発明は、かかる従来の課題に鑑みてなされたものであり、高い汎用性を備えた球面投影表示装置を提供することを目的とする。
【課題を解決するための手段】
【０００７】
前記課題を解決するため、本発明の球面投影表示装置の一態様は、球面の一部を構成する内面を投影面として使用される透過型の球状スクリーンと、画像データを投影光に変換する光変調素子と、前記光変調素子に平行光を入射させる光源部と、前記光変調素子により変換された前記投影光からなる画像を前記球状スクリーンの前記内面に投影するとともに、前記内面での当該画像の歪みを光学的に補償する歪み補正機能を有する投影光学系と、を備え、前記投影光学系は、前記光変調素子の前記光源部側に対して反対側に配置された第１のレンズと、当該第１のレンズの前記光変調素子側に対して反対側に配置された第２のレンズと、当該第２のレンズの当該第１のレンズ側に対して反対側に配置された第３のレンズと、によって構成されており、当該第１のレンズは非対称両凸レンズ、当該第２のレンズは対称両凸レンズ、当該第３のレンズは当該第２のレンズに接する凸面を有するメニスカスレンズである、ことを特徴とする。
【発明の効果】
【００１１】
本発明によれば、高い汎用性を備えた球面投影表示装置を提供することができる。
【図面の簡単な説明】
【００１２】
【図１】本発明の第１の実施形態を示す球面投影表示装置の模式断面図である。
【図２】投影光学系が有する歪み補正機能の説明図である。
【図３】投影光学系の詳細を示す図である。
【図４】球面投影表示装置における全光学系の光跡図である。
【図５】観察者の視線の方向に応じた、球状スクリーンに表示された画像の見え方の違いを示した説明図である。
【図６】球面投影表示装置の使用例を示すパチンコ遊技機の正面図である。
【図７】本発明の第２の実施形態を示す図であり、（ａ）は球面投影表示装置の外観斜視図、（ｂ）は球面投影表示装置の模式断面図である。
【図８】球面投影表示装置の動作状態を示す図である。
【図９】本発明の第３の実施形態を示す図であり、（ａ）は球面投影表示装置の外観斜視図、（ｂ）は球面投影表示装置の側面図である。
【図１０】球面投影表示装置の動作状態を示す図である。
【発明を実施するための形態】
【００１３】
（実施形態１）
以下、本発明の実施形態について説明する。図１は、本発明の第１の実施形態に係る球面投影表示装置１の断面構造を模式的に示した図である。本実施形態の球面投影表示装置１は、球状スクリーン２と、球状スクリーン２に固着されたプロジェクタ部３と、から構成されている。
【００１４】
球状スクリーン２は、球面の一部を構成する内面２ａを投影面として使用される透過型のスクリーンである。球状スクリーン２には、例えば透光性を有する部材の内側と外側との一方または双方の表面に、光を拡散させるための材料が塗布されたり、光を拡散させるための処理が施されたりすることによって光拡散性が確保されている。なお、球状スクリーン２は、光を拡散させる任意の材料を用いて形成されたものであっても構わない。
【００１５】
図に示したように、球状スクリーン２は、中空球体の一部（図で右側の一部）に開口部２ｂが設けられた形状を有している。球状スクリーン２は、例えば中空球体を構成する一組の半球状の部材の一方側に開口部２ｂを設けるとともに、双方の半球状の部材を透明な接着剤等を用いて繋ぎ目が極力見えないように接合することにより形成される。
【００１６】
一方、プロジェクタ部３は、光源部４と、透過型の液晶表示素子５と、投影部６と、から構成されている。光源部４は、ケース４１内に収容された点光源４２と、光源光学系を構成する点光源４２に対向する第１のレンズＬ１、及び第２のレンズＬ２と、から構成されている。第１のレンズＬ１及び第２のレンズＬ２からなる光源光学系は、点光源４２の発する光を平行光、若しくは平行光に近い状態で液晶表示素子５に入射させる。
【００１７】
なお、点光源４２には任意の光源を使用することができるが、球面投影表示装置１の小型化、省電力化、耐久性の点を考えると高輝度のＬＥＤ（Light Emitting Diode）を使用することが好ましく、高輝度の白色ＬＥＤまたは高輝度のＲＧＢ−ＬＥＤが好ましい。
【００１８】
液晶表示素子５は、画像データ（ＲＢＧデータ等）に応じて駆動され、画像データにより表される画像を表示することにより第２のレンズＬ２から入射した光を制御し、それにより上記画像データを投影光に変換する光変調素子として機能する。
【００１９】
液晶表示素子５は、画像データを投影光に変換するものであれば、透過型や、反射型（ＤＭＤ等）や、自発光型の他の光変調素子に適宜変更することができる。当然のごとく、反射型の光変調素子を使用する場合には、光源部４の構成も変更する必要があり、また、自発光型の光変調素子を使用する場合には光源部４は不要となる。
【００２０】
なお、図示しないが液晶表示素子５は、プロジェクタ部３に一体的に、または分離して設けられた駆動回路によって、外部（他の電子機器）から供給される画像データに基づき駆動される。
【００２１】
投影部６は、球状スクリーン２に設けられた開口部２ｂに内嵌され、一端が球状スクリーン２の中心（内面２ａを含む球面の中心）Ｏの近傍に位置するケース６１と、ケース６１内に収容された、液晶表示素子５に対向する第３のレンズＬ３と、第４のレンズＬ４と、第５のレンズＬ５と、によって構成されている。
【００２２】
第３のレンズＬ３〜第５のレンズＬ５によって投影光学系が構成されており、この投影光学系は、液晶表示素子５を透過した光、つまり画像データから変換された投影光を、球状スクリーン２の中心Ｏの近傍から出射し、画像データにより表される画像を球状スクリーン２の内面２ａに投影する。
【００２３】
また、第３のレンズＬ３〜第５のレンズＬ５からなる投影光学系は、焦点距離を短く設定されており、球状スクリーン２の内面２ａにおける半球を超える領域に前記画像を投影する。
【００２４】
すなわち、第１のレンズＬ１〜第５のレンズＬ５の光軸Ｌは球状スクリーン２の中心Ｏを通っている。球状スクリーン２の内面２ａは、その内面２ａを含む球面を投影光学系の光軸Ｌに垂直な面Ｍで分割したときの一方側の半球領域Ａ（図１で左側）と、他方側の半球領域（図１で右側）の一部である、一方側の半球領域Ａに連続する環状領域Ｂとから構成されている。そして、上記の一方側の半球領域Ａから上記の環状領域Ｂに及ぶ領域（図１に斜線で示した領域）Ｃが、球状スクリーン２の内面２ａにおいて画像が投影される投影領域となっている。
【００２５】
また、投影光学系には、第３のレンズＬ３〜第５のレンズＬ５として、例えば後述するレンズが使用されることにより、球状スクリーン２の内面２ａでの画像の歪みを光学的に補償する歪み補正機能が確保されている。
【００２６】
図２は、上記投影光学系に確保されている歪み補正機能を便宜的に示した説明図である。投影光学系は、例えば図２（ａ）に示したような液晶表示素子５において画像データに基づき表示される画像を、図２（ｂ）に示した糸巻き状に予め歪ませることによって、図２（ｃ）に示したような歪みが僅かな状態で球状スクリーン２の内面２ａに投影させる。
【００２７】
図３（ａ）は、前述した第１のレンズＬ１〜第５のレンズＬ５の具体例を示した図である。第１のレンズＬ１は平凸レンズであり、第２のレンズＬ２はフレネルレンズである。また、第３のレンズＬ３は非対称両凸レンズであり、第４のレンズＬ４は対称両凸レンズ、第５のレンズＬ５は、第４のレンズＬ４に接する凸面を有するメニスカスレンズである。
【００２８】
図３（ｂ）は、図３（ａ）に示した第１のレンズＬ１〜第５のレンズＬ５の仕様の一例を示した図であり、レンズ両面の曲率半径（Radius）と、厚み（Thickness）と、半径（Semidiameter）と、を示した図である。なお、図において、各値の単位はミリメートルであり、各レンズの曲率半径は、上段側が光の入射面の曲率半径、下段側が光の出射面の曲率半径である。図４は、第１のレンズＬ１〜第５のレンズＬ５が、図３（ｂ）に示した仕様を備えている場合における球面投影表示装置１における全光学系の光跡図である。
【００２９】
以上の構成からなる球面投影表示装置１においては、第３のレンズＬ３〜第５のレンズＬ５からなる投影光学系に、球状スクリーン２の内面２ａでの画像の歪みを光学的に補償する歪み補正機能が確保されているため、球状スクリーン２の内面２ａに投影する画像を表す画像データを事前に補正せずとも歪みのない画像を投影することができる。
【００３０】
そのため、球状スクリーン２に小型のものを使用し、球面投影表示装置１を、画像データを出力する機能を有した任意の機器に単なる表示デバイスとして組み込むような場合であっても、画像データを任意の機器側で行う必要がない。したがって、球面投影表示装置１には、高い汎用性を確保することができる。
【００３１】
また、本実施形態の球面投影表示装置１においては、球状スクリーン２における画像の投影領域が、球状スクリーン２の内面２ａにおける半球を超える領域Ｃ（図１参照）である。そのため、球状スクリーン２に任意の画像を表示しているとき、プロジェクタ部３が設けられていない正面側（図１で左側）に位置する観察者にあっては、視線の方向が投影光学系の光軸Ｌに対して多少傾いている場合であっても、球状スクリーン２の表面全域にわたって画像を観察することができる。
【００３２】
したがって、球面投影表示装置１においては、従来と同様に２次元の画像を立体的に表示できることは無論のこと、例えば表示する画像が任意の物体を表現したものである場合には、観察者に対してより現実的な立体感を与えることができる。
【００３３】
具体的な例を図５に示す。図５は、球状スクリーン２に地球儀を表現する地図画像が表示されているときの、観察者の視線の方向に応じた画像の見え方の違いを示した説明図である。
【００３４】
すなわち図５（ａ）は、視線の方向（図の右側に白抜きの矢印で示した方向）が投影光学系の光軸Ｌと一致しているとき、観察者により観察される球状スクリーン２の状態を示した図である。図５（ｂ）は、視線の方向が上記光軸Ｌに対してやや傾いているとき、観察者により観察される球状スクリーン２の状態を示した図である。図５（ｃ）は、視線の方向が、図５（ｂ）に示したときよりも大きく傾いているとき、観察者により観察される球状スクリーン２の状態を示した図である。なお、図５（ｂ）、図５（ｃ）に示した破線は、球状スクリーン２の表面における正面側の半球領域と、背面側の半球領域との境界を便宜的に示したものである。また、図５（ｃ）において球状スクリーン２に網掛けで示した領域Ｄは、画像が表示されない非表示領域である。
【００３５】
なお、球面投影表示装置１を表示デバイスとして組み込む機器については、特に限定されないが、球面投影表示装置１は、例えばパチンコ遊技機等のアミューズメント装置に組み込めば、アミューズメント装置における娯楽性を高めることができる。
【００３６】
図６は、球面投影表示装置１をパチンコ遊技機に組み込む場合の例を示した、パチンコ遊技機の正面図である。図６に示したパチンコ遊技機１００は、図柄を変動表示させる液晶ディスプレイ等からなる表示部１０１が遊技球が打ち込まれる遊技領域内に配置されたものである。この種のパチンコ遊技機１００においては、球面投影表示装置１は図示したように表示部１０１の上方に配置するとともに、球状スクリーン２を遊技領域内の機器表面から突出させた状態で組み込むことができる。
【００３７】
なお、球状スクリーン２は、遊技領域内の機器表面に、全体を露出させた状態で組み込むようにしてもよいし、内面２ａの投影領域Ｃに相当する部分を露出させた状態で組み込むようにしてもよい。また、球状スクリーン２には、例えば表示部１０１における図柄の表示動作と連動して画像（キャラクタの顔等）を表示させたり、あるいは表示部１０１とは独立して画像を表示させたりすればよい。
【００３８】
（実施形態２）
次に、本発明の第２の実施形態を図に従い説明する。図７は本実施形態に係る球面投影表示装置２１を示す図であり、図７（ａ）は外観斜視図、図７（ｂ）は図１に対応する模式断面図である。
【００３９】
本実施形態の球面投影表示装置２１は、第１の実施形態で説明した球面投影表示装置１とは異なる以下の構成を備えている。
【００４０】
すなわち本実施形態の球面投影表示装置２１においては、球状スクリーン２が半球状に形成されており、プロジェクタ部３は、投影部６の一端が球状スクリーン２の中心Ｏの近傍に位置するように、図示しない任意の構成によって球状スクリーン２との相対的な位置関係を保持されている。
【００４１】
また、投影部６を構成するケース６１の周縁にはドーナツ形の板状の支持体２２が外嵌した状態で固着されている。球状スクリーン２に対向する支持体２２の表面には、球状スクリーン２の内面２ａに画像が投影されていない非表示期間に球状スクリーン２の内面２ａを照明する複数の補助光源２３が周方向に一定間隔で配置されている。
【００４２】
複数の補助光源２３には、必要とする光量が得られれば任意のものを使用することができ、点光源４２と同様、球面投影表示装置２１の小型化、省電力化、耐久性の点を考えるとＬＥＤを使用することが好ましく、高輝度の白色ＬＥＤまたは高輝度のＲＧＢ−ＬＥＤが好ましい。
【００４３】
また、プロジェクタ部３には、外部（他の電子機器）から供給される画像データに基づき液晶表示素子５を駆動する駆動回路と、液晶表示素子５を点灯又は消灯するスイッチ回路と、を含む制御部２４が設けられている。
【００４４】
スイッチ回路は、液晶表示素子５が駆動されている期間、つまり球状スクリーン２の内面２ａに画像が投影されている表示期間に複数の補助光源２３を消灯し、かつ液晶表示素子５が駆動されていない期間、つまり球状スクリーン２の内面２ａに画像が投影されていない非表示期間に複数の補助光源２３を点灯する。本実施形態においては、複数の補助光源２３が、駆動回路によって点灯又は消灯されることにより本発明の照明手段として機能する。
【００４５】
なお、球面投影表示装置２１の上述した以外の構成においては、第１の実施形態の球面投影表示装置１と同様であるため、図７において、第１の実施形態と同一の部分に同一の符号を付すことにより説明を省略する。
【００４６】
以上の構成からなる球面投影表示装置２１においては、球状スクリーン２に画像が表示されていない非表示期間には、図８（ａ）に示したように、複数の補助光源２３が点灯されることによって、球状スクリーン２が内側から照明される。また、球状スクリーン２に画像が表示されている表示期間には、図８（ｂ）に示したように、複数の補助光源２３が消灯される。
【００４７】
係ることから、第１の実施形態と同様の効果に加え、第１の実施形態で述べたように球面投影表示装置２１をパチンコ遊技機等のアミューズメント装置に組み込む場合には、以下の効果を得ることができる。すなわち球状スクリーン２に画像が表示されていない非表示期間には球状スクリーン２を内側から照明することによって、遊技者に対して装置が故障しているとの印象等を抱かせることが防止できる。
【００４８】
また、パチンコ遊技機においては、例えば、はずれの際を球状スクリーン２に画像が表示されていない非表示期間として球状スクリーン２を内側から照明し、リーチ及び当たりの際を球状スクリーン２に画像が表示されている表示期間とするような使い方をすることができる。
【００４９】
また、例えば球状スクリーン２に画像が表示されていない非表示期間に、液晶表示素子５に何も画像を表示させずに、単に光源部４が発する光によって球状スクリーン２を内側から照明する場合に比べると、以下の点で有利である。
【００５０】
すなわち複数の補助光源２３によって球状スクリーン２を直接照明するため、消費電力を抑えつつ球状スクリーン２に必要とされる明るさを確保することができる。同時に、点光源４２の点灯時間を削減することによって点光源４２の寿命の長期化を図ることができる。また、点光源４２の点灯時間の長期化に伴い必要となる、光源部４を冷却するための冷却手段等を不要とすることができる。
【００５１】
さらに、本実施形態のように光変調素子として透過型の液晶表示素子５を使用する場合においては、点光源４２の点灯時間の長期化に伴う液晶表示素子５の劣化、具体的には液晶表示素子５を構成する偏光板等の熱による経時劣化を未然に防止することができる。
【００５２】
なお、本実施形態においては、球状スクリーン２に画像が表示されていない非表示期間には、複数の補助光源２３の全てを単に点灯する構成について説明した。しかし、複数の補助光源２３を点灯するときの具体的な点灯形態は適宜変更することができる。例えば複数の補助光源２３を点灯するときには、複数の補助光源２３の全てを一定の周期で一斉に点滅させてもよいし、予め決められた順序で順に点灯させてもよい。また、複数の補助光源２３の点灯色は任意であり、また点灯色を複数色としてもよい。また、複数の補助光源２３は、単一の補助光源に変更しても構わない。
【００５３】
（実施形態３）
次に、本発明の第３の実施形態を図に従い説明する。図９は本実施形態に係る球面投影表示装置３１を示す図であり、図９（ａ）は外観斜視図、図９（ｂ）は側面図である。
【００５４】
本実施形態の球面投影表示装置３１は、第１の実施形態で説明した球面投影表示装置１とは異なる以下の構成を備えている。
【００５５】
すなわち本実施形態の球面投影表示装置３１においては、第２の実施形態と同様、球状スクリーン２が半球状に形成されており、プロジェクタ部３は、投影部６の一端が球状スクリーン２の中心Ｏの近傍に位置するように、図示しない任意の構成によって球状スクリーン２との相対的な位置関係を保持されている。
【００５６】
一方、本実施形態においては、液晶表示素子５が、プロジェクタ部３に設けられているスライダ３２を介して前述した光源光学系、及び投影光学系に共通の光軸Ｌに対して垂直な方向（図９で上下方向）に移動自在に支持されている。具体的に説明すると、スライダ３２は、プロジェクタ部３に固定されている固定部３２ａと、固定部３２ａにスライド自在に支持された可動部３２ｂとを有しており、液晶表示素子５は、その可動部３２ｂに固定されている。
【００５７】
また、プロジェクタ部３には、ラック３３とピニオン３４とを介してスライダ３２の可動部３２ｂをスライドさせる駆動モータ３５が設けられており、液晶表示素子５は、駆動モータ３５が正転又は逆転することにより光軸Ｌ（図１参照）に対して垂直な方向に移動される。本実施形態においては、上述したスライダ３２と、ラック３３及びピニオン３４と、駆動モータ３５と、によって本発明の移動機構が実現されている。
【００５８】
そして、プロジェクタ部３には、外部（他の電子機器）から供給される画像データに基づき液晶表示素子５を駆動する駆動回路と、画像データの供給の有無に応じて駆動モータ３５の動作を制御する制御回路とを含む制御部３６が設けられている。
【００５９】
なお、球面投影表示装置３１の上述した以外の構成においては、第１の実施形態の球面投影表示装置１と同様であるため、図９において、第１の実施形態と同一の部分に同一の符号を付すことにより説明を省略する。
【００６０】
そして、以上の構成からなる球面投影表示装置２１においては、制御部３６における制御回路が、駆動モータ３５を一方向へ所定量だけ回転させることによって、画像データが供給されており、球状スクリーン２の内面２ａへ画像を投影すべき表示期間には、液晶表示素子５を、画像データを投影光に変換するための図１０（ｂ）に示した投影位置に制御する。また、制御回路が、駆動モータ３５を他方向へ所定量だけ回転させることによって、画像データが供給されておらず、球状スクリーン２の内面２ａへの画像の投影が不要な非表示期間には、液晶表示素子５を、点光源４２からの光の光路から外れた図１０（ａ）に示したような非変換位置に制御する。
【００６１】
ここで、液晶表示素子５が非変換位置に制御されているときには、点光源４２の光が光源光学系、及び投影光学系を介して球状スクリーン２の内面２ａへ到達することにより球状スクリーン２が内側から照明される。
【００６２】
したがって、本実施形態においても、第１の実施形態と同様の効果に加え、第１の実施形態で述べたように球面投影表示装置２１をパチンコ遊技機等のアミューズメント装置に組み込む場合には、以下の効果を得ることができる。すなわち球状スクリーン２に画像が表示されていない非表示期間には、点光源４２によって球状スクリーン２を内側から照明することによって、遊技者に対して装置が故障しているとの印象等を抱かせることが防止できる。
【００６３】
また、パチンコ遊技機においては、例えば、はずれの際を球状スクリーン２に画像が表示されていない非表示期間として球状スクリーン２を内側から照明し、リーチ及び当たりの際を球状スクリーン２に画像が表示されている表示期間とするような使い方をすることができる。
【００６４】
また、本実施形態においては、画像データが供給されておらず、球状スクリーン２の内面２ａへの画像の投影が不要な非表示期間には液晶表示素子５を非変換位置へ移動させることによって、液晶表示素子５の劣化、具体的には液晶表示素子５を構成する偏光板等の熱による経時劣化を未然に防止することができる。
【００６５】
なお、本実施形態においては、上述したようにスライダ３２と、ラック３３及びピニオン３４と、駆動モータ３５とによって本発明の移動機構を実現したものについて説明した。しかし、本発明の実施に際しては、球状スクリーン２の内面２ａへの画像の投影が不要な非表示期間に液晶表示素子５（光変調素子）を前述した非変換位置へ移動させることができれば、移動機構には任意の構成を採用することができる。
【符号の説明】
【００６６】
１    球面投影表示装置
２    球状スクリーン
２ａ    内面
３    プロジェクタ部
４    光源部
５    液晶表示素子
６    投影部
２１    球面投影表示装置
２２    支持体
２３    補助光源
３１    球面投影表示装置
３２    スライダ
３３    ラック
３４    ピニオン
３５    駆動モータ
４２    点光源
Ａ    半球領域
Ｂ    環状領域
Ｃ    投影領域
Ｌ    光軸
Ｌ１〜Ｌ５    第１のレンズ〜第５のレンズ
【図１】
0005682811.tif 000002
【図２】
0005682811.tif 000003
【図３】
0005682811.tif 000004
【図４】
0005682811.tif 000005
【図５】
0005682811.tif 000006
【図６】
0005682811.tif 000007
【図７】
0005682811.tif 000008
【図８】
0005682811.tif 000009
【図９】
0005682811.tif 000010
【図１０】
0005682811.tif 000011